(57)【要約】【課題】  風を吹き出して切り屑を吹き飛ばす電動丸鋸において、切り屑が必要以上に吹き飛ばされるのを抑制する【解決手段】  モータ４の回転を減速機１０を介して減速してファン１６を回転させ、当該ファン１６の回転によって生じた風を固定カバー３に設けた吹出口２１から吹き出して、切り屑を吹き飛ばすようにした。【選択図】      図１
2006150623.tif 000002
【特許請求の範囲】
【請求項１】
モータによって丸鋸刃を回転させる電動丸鋸において、
モータの回転を減速してファンを回転させ、当該ファンの回転によって生じた風を用いて切り屑を吹き飛ばすようにしたことを特徴とする電動丸鋸。
【請求項２】
前記ファンを、モータの回転を減速して丸鋸刃を回転させる減速機に取り付けたことを特徴とする請求項１に記載の電動丸鋸。
【請求項３】
前記ファンを、前記減速機を収容するケーシングとは別のケーシング内に収容したことを特徴とする請求項２に記載の電動丸鋸。
【請求項４】
前記ファンの回転によって生じた風の吹出口を、丸鋸刃のカバーに設けたことを特徴とする請求項１〜３のうちいずれか一つに記載の電動丸鋸。
【発明の詳細な説明】
【技術分野】
【０００１】
本発明は、木材等の切断に用いられる電動丸鋸に関する。
【背景技術】
【０００２】
従来より、モータの回転によって円板状の丸鋸刃を回転させて木材等の切断を行う携帯型の電動丸鋸が知られている。
【０００３】
この種の電動丸鋸で切断作業を行う場合、予め切断対象物に切断線を記しておき、当該切断線に沿って丸鋸刃を進めて切断を行うことが多い。しかし、この場合、切り屑によって切断線が隠されてしまい、実際に切断した位置が切断線からずれてしまう場合がある。
【０００４】
この点、特許文献１によれば、モータ冷却用に導入した空気を吹き出させて切り屑を吹き飛ばすため、切断線が切り屑によって隠されるのを防止することができる。
【特許文献１】米国特許第５０８４９７１号明細書
【発明の開示】
【発明が解決しようとする課題】
【０００５】
しかしながら、上記特許文献１の方式では、吹き出す風の勢いが強すぎて切り屑が飛散し、作業場の周辺が散らかってしまうという問題があった。
【０００６】
そこで、本発明は、電動丸鋸において、切り屑が必要以上に吹き飛ばされるのを抑制することを目的とする。
【課題を解決するための手段】
【０００７】
請求項１の発明にあっては、モータによって丸鋸刃を回転させる電動丸鋸において、モータの回転を減速してファンを回転させ、当該ファンの回転によって生じた風を用いて切り屑を吹き飛ばすようにしたことを特徴とする。
【０００８】
請求項２の発明にあっては、上記ファンを、モータの回転を減速して丸鋸刃を回転させる減速機に取り付けたことを特徴とする。
【０００９】
請求項３の発明にあっては、上記ファンを、上記減速機を収容する減速機ケーシングとは別のケーシング内に収容したことを特徴とする。
【００１０】
請求項４の発明にあっては、上記ファンの回転によって生じた風の吹出口を、丸鋸刃のカバーに設けたことを特徴とする。
【発明の効果】
【００１１】
請求項１の発明によれば、モータの回転を減速して回転させたファンにより、適切な勢いの風を吹き出させることができる。
【００１２】
請求項２の発明によれば、ファンを取り付けた減速機と丸鋸刃用の減速機とをそれぞれ別に設けた場合に比べて、装置構成をより簡素化することができる。
【００１３】
請求項３の発明によれば、減速機ケーシング内の潤滑剤がファンに作用するのを抑制することができる。
【００１４】
請求項４の発明によれば、丸鋸刃のカバーに吹出口を設定したため、比較的簡素な構成で切断位置に風を当てることができる。
【発明を実施するための最良の形態】
【００１５】
以下、本発明の実施形態について図面を参照しながら詳細に説明する。図１は、本発明の実施形態にかかる電動丸鋸の分解斜視図、図２および図３は、使用時における電動丸鋸の正面図、図４および図５は、使用時における電動丸鋸の側面図である。
【００１６】
本実施形態にかかる電動丸鋸１では、モータ４によって丸鋸刃８を回転させ、木材等の切断対象物を切断するものである。本体ハウジング２の前部の片側には、丸鋸刃８の上側を被覆する固定カバー３が設けられており、他方側には、モータ４を被覆するモータカバー５が設けられている。モータ４や、減速機１０、制御回路（図示せず）等の主要な構成部品は、これら固定カバー３およびモータカバー５の内側に収容される。また、本体ハウジング２の下部には、板状の切断対象物を沿わせるガイドとして機能するベースプレート６が設けられている。さらに、本体ハウジング２の後端部には、電池パック（図示せず）を着脱可能に装着することができるようになっている。なお、丸鋸刃８の下側は、本体ハウジング２に回転スライド可能に取り付けられたロアガード７で覆われている。
【００１７】
モータ４の回転は、その出力軸（図示せず）に取り付けられたギヤ９から減速機１０内のギヤ（図示せず）に伝達されて減速され、丸鋸刃８に伝達される。
【００１８】
ここで、モータ４内には、冷却用のファン１１が設けられている。このファン１１が回転すると、モータカバー５のモータ収容部の先端側（底部）に設けられた空気導入口１２からモータカバー５内に空気（外気）が導入され、当該モータ収容部の根元側に設けられた空気排出口としての窓部１４からモータカバー５内の空気が排出される。
【００１９】
さらに、本実施形態にかかる電動丸鋸１は、切り屑を吹き飛ばすべく切断位置より前方側の位置（切断前の位置）に向けて風を吹き出すための機構を備えている。具体的には、丸鋸刃８を駆動するための減速機１０から当該丸鋸刃８の他方側に突出する回転軸１５によって回転するファン１６を備え、このファン１６の回転により生じた風を、チューブ２０を経由して固定カバー３の前端部に取り付けた吹出口２１から吹き出すように構成されている。
【００２０】
なお、このファン１６は、減速機１０のケーシング１３内とは隔絶された別のケーシング１７内に収容されており、このケーシング１７に設けられた開口部１８からケーシング１７内に空気（外気）が導入され、ケーシング１７の側壁に設けられた吐出ポート１９から当該吐出ポート１９に接続されたチューブ２０内に空気が排出されるようになっている。減速機１０の潤滑剤がファン１６に巻き込まれた場合、空気経路に潤滑剤が詰まる等の問題が生じることが懸念されるが、本実施形態では、別のケーシング１７にファン１６を収容したため、そうした事態を防止できる。
【００２１】
ここで、本実施形態では、図２および図３に示すように、図示しない締結機構により、本体ハウジング２（丸鋸刃８）とベースプレート６との角度（ロール角）を可変設定できるように構成されている。図２は、丸鋸刃８とベースプレート６の底面との角度がほぼ垂直な状態、図３は、丸鋸刃８とベースプレート６の底面とが斜めに交叉している状態を示している。しかし、上述したように、本実施形態では、吹出口２１（のノズル）を、固定カバー３の前端側の外周壁に張り出すように設けている。よって、図２および図３に示すように、本体ハウジング２（丸鋸刃８）のベースプレート６に対するロール方向の傾斜角度によらず、吹出口２１から、丸鋸刃８が切断対象物３０を切断する位置より前方側の位置（切断前の位置）に風を吹き付けることができる。
【００２２】
また、本実施形態では、図４および図５に示すように、図示しない締結機構により、本体ハウジング２とベースプレート６との角度（ピッチ角）も可変設定できるように構成されている。図４は、本体ハウジング２が進行方向に対してやや後傾した状態、図５は、本体ハウジング２が進行方向に対してやや前傾した状態を示す図である。しかし、上述したように、本実施形態では、吹出口２１がベースプレート６の前端部より外側（前側）に位置するように設定している。よって、図４および図５に示すように、本体ハウジング２のベースプレート６に対するピッチ方向の傾斜角度によらず、ベースプレート６によって遮られることなく、吹出口２１から、丸鋸刃８が切断対象物３０を切断する位置より前方側の位置（切断前の位置）に風を吹き付けることができる。
【００２３】
以上のように、本実施形態によれば、モータ４の回転を減速して切り屑を吹き飛ばすためのファン１６を回転させるため、適切な勢いの風を吹き出させて、切り屑が必要以上に飛散するのを抑制することができる。
【００２４】
また、本実施形態によれば、丸鋸刃８用の減速機１０に切り屑を吹き飛ばすためのファン１６を取り付けたため、ファン１６の減速機を別途設けた場合に比べて装置構成をより簡素化することができる。
【００２５】
また、本実施形態によれば、減速機１０を収容するケーシング１３とは別のケーシング１７内にファン１６を収容したため、減速機１０内の潤滑剤がファン１６に作用するのを抑制することができる。
【００２６】
また、本実施形態によれば、風の吹出口２１を固定カバー３に設けたため、比較的簡素な構成で切断位置により確実に風を当てることができる。
【００２７】
以上、本発明の好適な実施形態について説明したが、本発明は上記実施形態に限定されるものではなく、要旨を逸脱しない範囲で上記実施形態に種々の改変を施すことができる。
【図面の簡単な説明】
【００２８】
【図１】本発明の実施形態にかかる電動丸鋸の分解斜視図。
【図２】本発明の実施形態にかかる電動丸鋸の使用時における正面図。
【図３】本発明の実施形態にかかる電動丸鋸の使用時における正面図。
【図４】本発明の実施形態にかかる電動丸鋸の使用時における側面図。
【図５】本発明の実施形態にかかる電動丸鋸の使用時における側面図。
【符号の説明】
【００２９】
１  電動丸鋸
３  固定カバー（丸鋸刃８のカバー）
４  モータ
８  丸鋸刃
１０  減速機
１３  （減速機１０を収容する）ケーシング
１６  ファン
１７  （ファン１６を収容する）ケーシング
２１  吹出口
【図１】
2006150623.tif 000003
【図２】
2006150623.tif 000004
【図３】
2006150623.tif 000005
【図４】
2006150623.tif 000006
【図５】
2006150623.tif 000007